【手続補正書】
【提出日】平成24年4月9日(2012.4.9)
【手続補正１】
【補正対象書類名】特許請求の範囲
【補正対象項目名】全文
【補正方法】変更
【補正の内容】
【特許請求の範囲】
【請求項１】
取引対象の在庫数を表示するページ情報をネットワークを介して端末装置に送信する情報送信装置であって、
前記端末装置から送信されたリクエストを受信するリクエスト受信手段と、
前記ページ情報を構成するハイパーテキストの要求を示すリクエストが受信された場合に、当該リクエストに対応する取引対象に対応する画像データの所在を示す所在情報を有し且つ当該画像データを表示させるタグ情報を含むハイパーテキストを前記端末装置に送信するハイパーテキスト送信手段であって、対応する取引対象が互いに同一である複数の前記リクエストのそれぞれの受信に対して、互いに同一の前記所在情報を有する前記タグ情報を含むハイパーテキストをそれぞれ送信するハイパーテキスト送信手段と、
前記ハイパーテキストを受信した前記端末装置から前記所在情報を含むリクエストが受信された場合に、前記在庫数を示し且つ内容が随時変化しうる在庫数情報が登録されているデータベースから、当該所在情報に対応する取引対象の前記在庫数を示す前記在庫数情報を取得する在庫数情報取得手段と、
前記取得された在庫数情報が示す在庫数を文字で示す画像データを生成する画像データ生成手段と、
前記生成された画像データを前記端末装置に送信する画像データ送信手段と、
を備えることを特徴とする情報送信装置。
【請求項２】
請求項１に記載の情報送信装置において、
前記画像データ送信手段は、前記生成された画像データの有効期限を示すヘッダ情報を当該画像データに付加して前記端末装置に送信することを特徴とする情報送信装置。
【請求項３】
取引対象の在庫数を表示するページ情報をネットワークを介して端末装置に送信する情報送信方法であって、
ユーザからの指令に基づいて前記端末装置から送信された、前記ページ情報を構成するハイパーテキストの要求を示すリクエストを受信するハイパーテキストリクエスト受信工程と、
前記ハイパーテキストの要求を示すリクエストが受信された場合に、当該リクエストに対応する取引対象に対応する画像データの所在を示す所在情報を有し且つ当該画像データを表示させるタグ情報を含むハイパーテキストを前記端末装置に送信するハイパーテキスト送信工程であって、対応する取引対象が互いに同一である複数の前記リクエストのそれぞれの受信に対して、互いに同一の前記所在情報を有する前記タグ情報を含むハイパーテキストをそれぞれ送信するハイパーテキスト送信工程と、
前記ハイパーテキストを受信した前記端末装置から送信された、前記所在情報を含むリクエストを受信する画像データリクエスト受信工程と、
前記所在情報を含むリクエストが受信された場合に、前記在庫数を示し且つ内容が随時変化しうる在庫数情報が登録されているデータベースから、当該所在情報に対応する取引対象の前記在庫数を示す前記在庫数情報を取得する在庫数情報取得工程と、
前記取得された在庫数情報が示す在庫数を文字で示す画像データを生成する画像データ生成工程と、
前記生成された画像データを前記端末装置に送信する画像データ送信工程と、
を含むことを特徴とする情報送信方法。
【請求項４】
取引対象の在庫数を表示するページ情報をネットワークを介して端末装置に送信する情報送信装置に含まれるコンピュータを、
前記端末装置から送信されたリクエストを受信するリクエスト受信手段、
前記ページ情報を構成するハイパーテキストの要求を示すリクエストが受信された場合に、当該リクエストに対応する取引対象に対応する画像データの所在を示す所在情報を有し且つ当該画像データを表示させるタグ情報を含むハイパーテキストを前記端末装置に送信するハイパーテキスト送信手段であって、対応する取引対象が互いに同一である複数の前記リクエストのそれぞれの受信に対して、互いに同一の前記所在情報を有する前記タグ情報を含むハイパーテキストをそれぞれ送信するハイパーテキスト送信手段、
前記ハイパーテキストを受信した前記端末装置から前記所在情報を含むリクエストが受信された場合に、前記在庫数を示し且つ内容が随時変化しうる在庫数情報が登録されているデータベースから、当該所在情報に対応する取引対象の前記在庫数を示す前記在庫数情報を取得する在庫数情報取得手段、
前記取得された在庫数情報が示す在庫数を文字で示す画像データを生成する画像データ生成手段、及び、
前記生成された画像データを前記端末装置に送信する画像データ送信手段、
として機能させることを特徴とする情報送信処理プログラム。
【請求項５】
端末装置と、取引対象の在庫数を表示するページ情報をネットワークを介して前記端末装置に送信する情報送信装置と、を備える情報送信システムであって、
前記情報送信装置は、
前記端末装置から送信されたリクエストを受信するリクエスト受信手段と、
前記ページ情報を構成するハイパーテキストの要求を示すリクエストが受信された場合に、当該リクエストに対応する取引対象に対応する画像データの所在を示す所在情報を有し且つ当該画像データを表示させるタグ情報を含むハイパーテキストを前記端末装置に送信するハイパーテキスト送信手段であって、対応する取引対象が互いに同一である複数の前記リクエストのそれぞれの受信に対して、互いに同一の前記所在情報を有する前記タグ情報を含むハイパーテキストをそれぞれ送信するハイパーテキスト送信手段と、
前記ハイパーテキストを受信した前記端末装置から前記所在情報を含むリクエストが受信された場合に、前記在庫数を示し且つ内容が随時変化しうる在庫数情報が登録されているデータベースから、当該所在情報に対応する取引対象の前記在庫数を示す前記在庫数情報を取得する在庫数情報取得手段と、
前記取得された在庫数情報が示す在庫数を文字で示す画像データを生成する画像データ生成手段と、
前記生成された画像データを前記端末装置に送信する画像データ送信手段と、を備え、
前記端末装置は、
前記ハイパーテキストの要求を示すリクエストをユーザからの指令に基づいて前記情報送信装置に送信するハイパーテキストリクエスト送信手段と、
前記情報送信装置から送信された前記ハイパーテキストを受信するハイパーテキスト受信手段と、
前記受信されたハイパーテキストを画面に表示するハイパーテキスト表示手段と、
受信された前記画像データを記憶する記憶手段と、
前記受信されたハイパーテキストに含まれる前記タグ情報が有する前記所在情報が所在を示す前記画像データが前記記憶手段に記憶されているか否かを判定する判定手段と、
前記画像データが前記記憶手段に記憶されていない場合に、前記所在情報を含むリクエストを前記情報送信装置に送信し、当該情報送信装置から送信された前記画像データを受信し画面に表示する画像データ第１表示手段と、
前記画像データが前記記憶手段に記憶されている場合に、当該記憶されている画像データを画面に表示する画像データ第２表示手段と、
を備えることを特徴とする情報送信システム。
【手続補正２】
【補正対象書類名】明細書
【補正対象項目名】０００９
【補正方法】変更
【補正の内容】
【０００９】
上記課題を解決するために、請求項１に記載の発明は、取引対象の在庫数を表示するページ情報をネットワークを介して端末装置に送信する情報送信装置であって、前記端末装置から送信されたリクエストを受信するリクエスト受信手段と、前記ページ情報を構成するハイパーテキストの要求を示すリクエストが受信された場合に、当該リクエストに対応する取引対象に対応する画像データの所在を示す所在情報を有し且つ当該画像データを表示させるタグ情報を含むハイパーテキストを前記端末装置に送信するハイパーテキスト送信手段であって、対応する取引対象が互いに同一である複数の前記リクエストのそれぞれの受信に対して、互いに同一の前記所在情報を有する前記タグ情報を含むハイパーテキストをそれぞれ送信するハイパーテキスト送信手段と、前記ハイパーテキストを受信した前記端末装置から前記所在情報を含むリクエストが受信された場合に、前記在庫数を示し且つ内容が随時変化しうる在庫数情報が登録されているデータベースから、当該所在情報に対応する取引対象の前記在庫数を示す前記在庫数情報を取得する在庫数情報取得手段と、前記取得された在庫数情報が示す在庫数を文字で示す画像データを生成する画像データ生成手段と、前記生成された画像データを前記端末装置に送信する画像データ送信手段と、を備えることを特徴とする。
【手続補正３】
【補正対象書類名】明細書
【補正対象項目名】００１１
【補正方法】変更
【補正の内容】
【００１１】
請求項２に記載の発明は、請求項１に記載の情報送信装置において、前記画像データ送信手段は、前記生成された画像データの有効期限を示すヘッダ情報を当該画像データに付加して前記端末装置に送信することを特徴とする。
【手続補正４】
【補正対象書類名】明細書
【補正対象項目名】００１３
【補正方法】変更
【補正の内容】
【００１３】
請求項３に記載の発明は、取引対象の在庫数を表示するページ情報をネットワークを介して端末装置に送信する情報送信方法であって、ユーザからの指令に基づいて前記端末装置から送信された、前記ページ情報を構成するハイパーテキストの要求を示すリクエストを受信するハイパーテキストリクエスト受信工程と、前記ハイパーテキストの要求を示すリクエストが受信された場合に、当該リクエストに対応する取引対象に対応する画像データの所在を示す所在情報を有し且つ当該画像データを表示させるタグ情報を含むハイパーテキストを前記端末装置に送信するハイパーテキスト送信工程であって、対応する取引対象が互いに同一である複数の前記リクエストのそれぞれの受信に対して、互いに同一の前記所在情報を有する前記タグ情報を含むハイパーテキストをそれぞれ送信するハイパーテキスト送信工程と、前記ハイパーテキストを受信した前記端末装置から送信された、前記所在情報を含むリクエストを受信する画像データリクエスト受信工程と、前記所在情報を含むリクエストが受信された場合に、前記在庫数を示し且つ内容が随時変化しうる在庫数情報が登録されているデータベースから、当該所在情報に対応する取引対象の前記在庫数を示す前記在庫数情報を取得する在庫数情報取得工程と、前記取得された在庫数情報が示す在庫数を文字で示す画像データを生成する画像データ生成工程と、前記生成された画像データを前記端末装置に送信する画像データ送信工程と、を含むことを特徴とする。
【手続補正５】
【補正対象書類名】明細書
【補正対象項目名】００１４
【補正方法】変更
【補正の内容】
【００１４】
請求項４に記載の発明は、取引対象の在庫数を表示するページ情報をネットワークを介して端末装置に送信する情報送信装置に含まれるコンピュータを、前記端末装置から送信されたリクエストを受信するリクエスト受信手段、前記ページ情報を構成するハイパーテキストの要求を示すリクエストが受信された場合に、当該リクエストに対応する取引対象に対応する画像データの所在を示す所在情報を有し且つ当該画像データを表示させるタグ情報を含むハイパーテキストを前記端末装置に送信するハイパーテキスト送信手段であって、対応する取引対象が互いに同一である複数の前記リクエストのそれぞれの受信に対して、互いに同一の前記所在情報を有する前記タグ情報を含むハイパーテキストをそれぞれ送信するハイパーテキスト送信手段、前記ハイパーテキストを受信した前記端末装置から前記所在情報を含むリクエストが受信された場合に、前記在庫数を示し且つ内容が随時変化しうる在庫数情報が登録されているデータベースから、当該所在情報に対応する取引対象の前記在庫数を示す前記在庫数情報を取得する在庫数情報取得手段、前記取得された在庫数情報が示す在庫数を文字で示す画像データを生成する画像データ生成手段、及び、前記生成された画像データを前記端末装置に送信する画像データ送信手段、として機能させることを特徴とする。
【手続補正６】
【補正対象書類名】明細書
【補正対象項目名】００１５
【補正方法】変更
【補正の内容】
【００１５】
請求項５に記載の発明は、端末装置と、取引対象の在庫数を表示するページ情報をネットワークを介して前記端末装置に送信する情報送信装置と、を備える情報送信システムであって、前記情報送信装置は、前記端末装置から送信されたリクエストを受信するリクエスト受信手段と、前記ページ情報を構成するハイパーテキストの要求を示すリクエストが受信された場合に、当該リクエストに対応する取引対象に対応する画像データの所在を示す所在情報を有し且つ当該画像データを表示させるタグ情報を含むハイパーテキストを前記端末装置に送信するハイパーテキスト送信手段であって、対応する取引対象が互いに同一である複数の前記リクエストのそれぞれの受信に対して、互いに同一の前記所在情報を有する前記タグ情報を含むハイパーテキストをそれぞれ送信するハイパーテキスト送信手段と、前記ハイパーテキストを受信した前記端末装置から前記所在情報を含むリクエストが受信された場合に、前記在庫数を示し且つ内容が随時変化しうる在庫数情報が登録されているデータベースから、当該所在情報に対応する取引対象の前記在庫数を示す前記在庫数情報を取得する在庫数情報取得手段と、前記取得された在庫数情報が示す在庫数を文字で示す画像データを生成する画像データ生成手段と、前記生成された画像データを前記端末装置に送信する画像データ送信手段と、を備え、前記端末装置は、前記ハイパーテキストの要求を示すリクエストをユーザからの指令に基づいて前記情報送信装置に送信するハイパーテキストリクエスト送信手段と、前記情報送信装置から送信された前記ハイパーテキストを受信するハイパーテキスト受信手段と、前記受信されたハイパーテキストを画面に表示するハイパーテキスト表示手段と、受信された前記画像データを記憶する記憶手段と、前記受信されたハイパーテキストに含まれる前記タグ情報が有する前記所在情報が所在を示す前記画像データが前記記憶手段に記憶されているか否かを判定する判定手段と、前記画像データが前記記憶手段に記憶されていない場合に、前記所在情報を含むリクエストを前記情報送信装置に送信し、当該情報送信装置から送信された前記画像データを受信し画面に表示する画像データ第１表示手段と、前記画像データが前記記憶手段に記憶されている場合に、当該記憶されている画像データを画面に表示する画像データ第２表示手段と、を備えることを特徴とする。
【手続補正７】
【補正対象書類名】明細書
【補正対象項目名】００５９
【補正方法】変更
【補正の内容】
【００５９】
図５において、ユーザ端末４−ｋは、商品詳細用ＨＴＭＬデータがキャッシュされている場合（ステップＳ１：ＹＥＳ）であっても、在庫数画像データがキャッシュされているか否かを確認するようになっている（ステップＳ６）。これは、商品詳細用ＨＴＭＬデータはキャッシュされてはいても、在庫数画像データの方はキャッシュされていないケースがあるからである。例えば、Ｗｅｂサーバ１側で、在庫数画像データに対して有効期限を設定することが可能であるから、ユーザ端末４−ｋでキャッシュした在庫数画像データの有効期限が切れると、ブラウザアプリケーションの仕様によっては、その在庫数画像データがキャッシュから削除されることも考えられるからである。